(57)【要約】【課題】より簡便かつ精度よく、コンベヤベルト稼動時の支持ローラ乗り越え抵抗力を測定できる測定方装置を提供する。【解決手段】プーリ１６ａ、１６ｂ間に張設されたコンベヤベルト１４の内周面１５に当接して転動する測定用支持ローラ２を支持部３により支持し、支持部３の下面とフレーム４の上面との間に低摩擦部材７を介在させて、支持部３を水平フレーム４ａに載置し、支持部３の前後それぞれにロードセル１０ａ、１０ｂを固定して、これらロードセル１０ａ、１０ｂを垂直フレーム４ｂに直接または間接的に接続し、ロードセル１０ａ、１０ｂの検知データを制御部１３に入力し、この検知データに基づいて測定用支持ローラ２に作用する水平方向の抵抗力を測定する。【選択図】図２
2014227229.tif 000002
【特許請求の範囲】
【請求項１】
プーリ間に張設されたコンベヤベルトの内周面に当接して転動する測定用支持ローラと、この測定用支持ローラに作用する抵抗力を検知するロードセルと、このロードセルの検知データが入力される制御部を備えた支持ローラ乗り越え抵抗力測定装置において、
前記測定用支持ローラを支持する支持部と、この支持部が上面に載置されるフレームと、このフレームの上面と前記支持部の下面との間に介在する低摩擦部材と、前記支持部の前後それぞれに固定されて前記フレームに直接または間接的に接続されるロードセルとを備えたことを特徴とする支持ローラ乗り越え抵抗力測定装置。
【請求項２】
前記支持部の移動を前後方向にガイドするガイド部が設けられている請求項１に記載の支持ローラ乗り越え抵抗力測定装置。
【請求項３】
前記コンベヤベルトの内周面の前記測定用支持ローラが当接する部分近傍の表面温度を検知し、その検知データが前記制御部に入力される表面温度計が設けられた請求項１または２に記載の支持ローラ乗り越え抵抗力測定装置。
【請求項４】
前記表面温度計が複数設けられ、これら表面温度計により、前記コンベヤベルトの内周面の前記測定用支持ローラが当接する部分近傍のうち、測定用支持ローラの当接する部分よりも前方側および後方側の表面温度が検知される請求項３に記載の支持ローラ乗り越え抵抗力測定装置。
【請求項５】
前記測定用支持ローラ周辺の雰囲気温度を検知し、その検知データが前記制御部に入力される雰囲気温度計が設けられた請求項１〜４のいずれかに記載の支持ローラ乗り越え抵抗力測定装置。
【請求項６】
前記測定用支持ローラを、前記コンベヤベルトのベルト幅方向の任意の位置で、ローラ軸方向を水平方向に対して任意の角度に設定して配置できる構成にした請求項１〜５のいずれかに記載の支持ローラ乗り越え抵抗力測定装置。
【発明の詳細な説明】
【技術分野】
【０００１】
本発明は、コンベヤベルトの支持ローラ乗り越え抵抗力測定装置に関し、さらに詳しくは、より簡便かつ精度よく、コンベヤベルト稼動時の支持ローラ乗り越え抵抗力を測定できるコンベヤベルトの支持ローラ乗り越え抵抗力測定装置に関するものである。
【背景技術】
【０００２】
コンベヤベルトを駆動するための消費電力は、コンベヤベルトの種類や駆動ローラ等の周辺設備、さらにはコンベヤベルトに積載する運搬物の重量の変動等の影響を受けて変動することが知られている。ベルトコンベヤが長機長になると、コンベヤベルトを支持する支持ローラの数が増加するため、消費電力に関してはコンベヤベルトと支持ローラとの接触に起因する動力損失が支配的になる。そのため、支持ローラ乗り越え時に生じる動力損失、即ち、支持ローラ乗り越え抵抗力を低減させることが重要な課題になっている。
【０００３】
この支持ローラ乗り越え抵抗力を測定する方法が種々提案されている（例えば、特許文献１参照）。特許文献１の図５には、プーリ間に張設されたコンベヤベルトの内周側面に測定用支持ローラを配置し、この測定用支持ローラを配置した位置でコンベヤベルトに上方から荷重を付与した状態にしてコンベヤベルトを走行させて、その際に測定用支持ローラに作用する水平方向の抵抗力を測定する装置が記載されている。測定用支持ローラは支持部材の先端に取り付けられて、この支持部材によって搖動可能に支持されるとともに、前後一対の連結部材によってベルト長手方向の移動が拘束されている。そして、前後一対の連結部材のそれぞれに設けられたロードセルによって測定用支持ローラに作用する抵抗力が測定される構成になっている。しかしながら、測定用支持ローラは支持部材に支持されて搖動するため、ロードセルによって測定される抵抗力には、水平方向成分だけでなく少なからず垂直方向成分も含まれることになり、測定精度を向上させる余地があった。
【０００４】
この特許文献１では、直交座標系（Ｘ，Ｙ，Ｚ）のそれぞれの軸方向に作用する抵抗力を検出する検出器を設けることが提案されている。これにより、測定用支持ローラに作用する水平方向成分の抵抗力だけでなく、その他２方向の抵抗力も測定する。そのため、装置およびデータ分析が複雑になる。また、これに伴って装置が高コストになるという問題も生じる。
【先行技術文献】
【特許文献】
【０００５】
【特許文献１】特開２００８−２７３７１９号公報
【発明の概要】
【発明が解決しようとする課題】
【０００６】
本発明の目的は、より簡便かつ精度よく、コンベヤベルト稼動時の支持ローラ乗り越え抵抗力を測定できるコンベヤベルトの支持ローラ乗り越え抵抗力測定装置を提供することにある。
【課題を解決するための手段】
【０００７】
上記目的を達成するため、本発明のコンベヤベルトの支持ローラ乗り越え抵抗力測定装置は、プーリ間に張設されたコンベヤベルトの内周面に当接して転動する測定用支持ローラと、この測定用支持ローラに作用する抵抗力を検知するロードセルと、このロードセルの検知データが入力される制御部を備えた支持ローラ乗り越え抵抗力測定装置において、前記測定用支持ローラを支持する支持部と、この支持部が上面に載置されるフレームと、このフレームの上面と前記支持部の下面との間に介在する低摩擦部材と、前記支持部の前後それぞれに固定されて前記フレームに直接または間接的に接続されるロードセルとを備えたことを特徴とする。
【発明の効果】
【０００８】
本発明によれば、測定用支持ローラを支持する支持部の下面と、支持部が載置されるフレームの上面との間に低摩擦部材を介在させて、支持部をフレームに載置するので、走行しているコンベヤベルトの内周面に測定用支持ローラを当接させて転動させると、実質的に測定用支持ローラに作用する水平方向の抵抗力のみを、支持部の前後それぞれに固定されて前記フレームに直接または間接的に接続されるロードセルにより検知できる。そして、前後のロードセルにより検知された検知データの差異に基づいて、測定用支持ローラに作用する水平方向の抵抗力を測定することができる。このように、高価な検知器を用いることなく、簡便な構成でありながら、コンベヤベルト稼動時の支持ローラ乗り越え抵抗力を高精度で測定することが可能になっている。
【０００９】
ここで、例えば、前記支持部の移動を前後方向にガイドするガイド部が設けられている仕様にすることもできる。この仕様によれば、コンベヤベルトの内周面に当接して転動する測定用支持ローラの左右の振れを防止できるので、支持ローラ乗り越え抵抗力を高精度で測定するには有利になる。
【００１０】
前記コンベヤベルトの内周面の前記測定用支持ローラが当接する部分近傍の表面温度を検知し、その検知データが前記制御部に入力される表面温度計が設けられた仕様にすることもできる。この仕様によれば、コンベヤベルトが支持ローラを乗り越える際のコンベヤベルトに生じる温度変化を把握できる。それ故、支持ローラ乗り越え抵抗力に対するコンベヤベルトの内周面の温度変化の影響を考慮することにより、支持ローラ乗り越え抵抗力を高精度で測定するには有利になる。
【００１１】
前記表面温度計が複数設けられ、これら表面温度計により、前記コンベヤベルトの内周面の前記測定用支持ローラが当接する部分近傍のうち、測定用支持ローラの当接する部分よりも前方側および後方側の表面温度が検知される仕様にすることもできる。この仕様によれば、コンベヤベルトが支持ローラを乗り越える際に生じるコンベヤベルトの温度変化をより詳細に把握できる。それ故、支持ローラ乗り越え抵抗力を高精度で測定するには益々有利になる。
【００１２】
前記測定用支持ローラ周辺の雰囲気温度を検知し、その検知データが前記制御部に入力される雰囲気温度計が設けられた仕様にすることもできる。この仕様によれば、支持ローラ乗り越え抵抗力に対する雰囲気温度の影響を考慮することで、支持ローラ乗り越え抵抗力を高精度で測定するには有利になる。
【００１３】
前記測定用支持ローラを、前記コンベヤベルトのベルト幅方向の任意の位置で、ローラ軸方向を水平方向に対して任意の角度に設定して配置できる構成にすることもできる。この構成によれば、コンベヤベルトがベルト幅方向に平らな状態であっても、コンベヤベルトのベルト上面が凹状に湾曲した状態（トラフ角度付の状態）であっても、支持ローラ乗り越え抵抗力を精度よく測定することが可能になる。
【図面の簡単な説明】
【００１４】
【図１】本発明の支持ローラ乗り越え抵抗力測定装置を側面視で例示する説明図である。
【図２】図１の一部拡大図である。
【図３】図１のＡ矢視図である。
【図４】測定用支持ローラをコンベヤベルトの内周面に当接させる前の状態を側面視で例示する説明図である。
【図５】測定用支持ローラに作用する抵抗力を模式的に示す説明図である。
【発明を実施するための形態】
【００１５】
以下、本発明の支持ローラ乗り越え抵抗力測定装置を図に示した実施形態に基づいて説明する。
【００１６】
図１〜図３に例示するように、本発明の支持ローラ乗り越え抵抗力測定装置１（以下、測定装置１という）は、測定用支持ローラ２と、測定用支持ローラ２を支持する支持部３と、この支持部３が上面に載置されるフレーム４と、測定用支持ローラ２に作用する抵抗力を逐次検知する２つのロードセル１０ａ、１０ｂと、このロードセル１０ａ、１０ｂの検知データが逐次入力される制御部１３を備えている。さらに、フレーム４の上面と支持部３の下面との間に低摩擦部材７が介在している。測定用支持ローラ２は、プーリ１６ａ、１６ｂ間に張設されたコンベヤベルト１４の内周面１５に当接して転動する。
【００１７】
一方のロードセル１０ａは支持部３の前側に固定され、他方のロードセル１０ｂは支持部３の後側に固定されて、それぞれフレーム４に直接または間接的に接続される。本明細書において前後方向とは、コンベヤベルト１４の走行方向（長手方向）であり、支持部３の前側は支持部３に対してコンベヤベルト１４の走行方向下流側、後側はコンベヤベルト１４の走行方向上流側を意味する。尚、図面はコンベヤベルト１４がベルト幅方向に平らな状態になっているが、通常は、コンベヤベルト１４のベルト上面が凹状に湾曲した状態で本発明が適用される。
【００１８】
コンベヤベルト１４がベルト幅方向に平らな状態であっても、コンベヤベルト１４のベルト上面が凹状に湾曲した状態（トラフ角度付の状態）であっても、支持ローラ乗り越え抵抗力を精度よく測定可能にするには、測定用支持ローラ２を、コンベヤベルト１４のベルト幅方向の任意の位置で、ローラ軸方向を水平方向に対して任意の角度に設定して配置できる構成にするとよい。例えば、コンベヤベルト１４のベルト上面が凹状に湾曲した状態の場合、コンベヤベルト１４のベルト幅方向中央部に測定用支持ローラ２を配置するには、ローラ軸方向を水平に設定する。ベルト幅方向端部に測定用支持ローラ２を配置するには、コンベヤベルト１４の湾曲に沿うようにローラ軸方向を水平方向に対して傾斜させる。
【００１９】
この実施形態では、それぞれのロードセル１０ａ、１０ｂは、接続部材５を介して、フレーム４を構成する垂直フレーム４ｂに間接的に接続されている。ロードセル１０ａ、１０ｂは直接、垂直フレーム４ｂに接続することもできる。また、フレーム４を構成する水平フレーム４ａや支持フレーム４ｃにロードセル１０ａ、１０ｂを接続することもできる。
【００２０】
低摩擦部材７としては、例えば、フッ素樹脂等を用いることができる。低摩擦部材７の動摩擦係数（ＪＩＳ  Ｋ７１２５）は例えば０．２以下である。
【００２１】
この実施形態では、水平フレーム４ａの上面に、前後方向に延びるレール部９ａが突設されている。また、支持部３の下面には、このレール部９ａが嵌合する溝部９ｂが設けられている。そして、レール部９ａの全面および水平フレーム４ａの上面の全面が低摩擦部材７により覆われている。このレール部９ａと溝部９ｂとにより、支持部３の移動を前後方向にガイドするガイド部８が構成されている。
【００２２】
水平フレーム４ａおよび支持部３は、例えば、ステンレス鋼、炭素鋼等により形成されていて、水平フレーム４ａの上面および支持部３の下面のガイド部８を除いた部分は、平坦な面状になっている。
【００２３】
溝部９ｂの全面および支持部３の下面の全面が摩擦部材７により覆われている仕様にすることもできる。支持部３の下面に前後方向に延びるレール部９ａが突設され、水平フレーム４ａの上面にレール部９ａに嵌合する溝部９ｂが設けられた仕様にすることもできる。
【００２４】
この実施形態では、さらに、コンベヤベルト１４の内周面１５の測定用支持ローラ２が当接する部分近傍の表面温度を逐次検知する非接触型の表面温度計１１ａ、１１ｂが設けられている。表面温度計１１ａ、１１ｂによる検知データは、パーソナルコンピュータ等の制御部１３に逐次入力される。
【００２５】
２つの表面温度計１１ａ、１１ｂのうち、一方の表面温度計１１ａは、コンベヤベルト１４の内周面１５の測定用支持ローラ２が当接する部分近傍のうち、測定用支持ローラ２の当接する部分よりも前方側の表面温度を検知し、他方の一方の表面温度計１１ｂは、測定用支持ローラ２の当接する部分よりも後方側の表面温度を検知する。
【００２６】
この実施形態では、さらに、測定用支持ローラ２周辺の雰囲気温度を逐次検知する雰囲気温度計１２が設けられている。雰囲気温度計１２による検知データは、制御部１３に逐次入力される。コンベヤベルト１４のベルト走行速度Ｖも制御部１３に逐次入力されるようになっている。
【００２７】
垂直フレーム４ｂには、測定用支持ローラ２の上下位置を調節する上下アジャスタ機構６が設けられている。上下アジャスタ機構６によって、測定用支持ローラ２を所望の位置に移動させて、その上下位置で固定することができる。フレーム４に配置する測定用支持ローラ２は１個に限らず、コンベヤベルト１４の幅方向に複数並べて配置することもできる。
【００２８】
この測定装置１を用いてコンベヤベルト１４の支持ローラ乗り越え抵抗を測定する方法を以下に説明する。
【００２９】
まず、図４に例示するように、プーリ１６ａ、１６ｂ間に張設されたコンベヤベルト１４の内周面１５に測定用支持ローラ２を配置する。そして、上下アジャスタ機構６を用いて測定用支持ローラ２を上方移動させることによりコンベヤベルト１４の内周面１５に当接させて、測定用支持ローラ２に対して上下方向の所望の初期荷重を付与する。例えば、使用現場での条件等に合った初期荷重を測定用支持ローラ２に付与してセットした状態にする。
【００３０】
このセットした状態で図１に例示するように、コンベヤベルト１４を走行させる。これにより、測定用支持ローラ２は、走行するコンベヤベルト１４の内周面１５に当接して転動する。
【００３１】
図５に例示するように、測定用支持ローラ２がコンベヤベルト１４の内周面１５に当接して転動する際に、測定用支持ローラ２には、ベルト進行方向に向かって斜め下方の外力Ｆが作用する。ここで、測定用支持ローラ２をコンベヤベルト１４が乗り越える際に生じる単位時間当たりのエネルギ損失Ｗは、外力Ｆ×ベルト走行速度Ｖとなる。実機の支持ローラは垂直方向に変位しないので、外力Ｆの垂直分力Ｆｖによる損失はない。そのため、測定用支持ローラ２に作用する外力Ｆの水平分力Ｆｈとベルト速度Ｖが求まれば、１個の測定用支持ローラ２当りのエネルギ損失、即ち、ベルト乗り越え損失が求まる。
【００３２】
そこで、本発明では測定用支持ローラ２に作用する水平方向の抵抗力（水平分力Ｆｈ）のみを検知するようにしている。即ち、コンベヤベルト１４が測定用支持ローラ２を乗り越える際に、測定用支持ローラ２に作用する水平方向の抵抗力が、コンベヤベルトが乗り越える際の支持ローラ乗り越え抵抗力となる。
【００３３】
コンベヤベルト１４が測定用支持ローラ２を乗り越える際には、前側のロードセル１０ａは支持部材３とフレーム４との間の水平方向の圧縮力を検知し、後側のロードセル１０ｂは支持部材３とフレーム４との間の水平方向の引張力を検知する。そして、前側のロードセル１０ａが検知した圧縮力から後側のロードセル１０ｂが検知した引張力を差し引いた値（絶対値）の１／２が、支持ローラ乗り越え抵抗力として把握される。即ち、それぞれのロードセル１０ａ、１０ｂの初期状態（ゼロ点）を合わせていなくても、それぞれのロードセル１０ａ、１０ｂによる検知データを用いることに誤差を小さくして水平方向の抵抗力が測定される。
【００３４】
さらに本発明では、支持部３の下面と水平フレーム４ａの上面との間に低摩擦部材７を介在させて支持部３を水平フレーム４ａに載置しているので、走行しているコンベヤベルト１４の内周面１５に測定用支持ローラ２を当接させて転動させると、実質的に測定用支持ローラ２に作用する水平方向の抵抗力のみが、支持部３の前後それぞれに固定されたロードセル１０ａ、１０ｂにより検知される。そして、前後のロードセル１０ａ、１０ｂにより検知された検知データに基づいて上述したように、測定用支持ローラ２に作用する水平方向の抵抗力を測定することができる。このように、高価な検知器を用いることなく、簡便な構成でありながら、コンベヤベルト１４稼動時の支持ローラ乗り越え抵抗力を高精度で測定することが可能になっている。これに伴って、測定装置１のコストを低く抑えるにも有利になっている。
【００３５】
この測定装置１により測定された支持ローラ乗り越え抵抗力を分析することにより、コンベヤベルトを駆動する際の消費電力を低減できる支持ローラ乗り越え抵抗力の小さなコンベヤベルトを開発することが可能になる。例えば、測定結果に基づいて、ゴム組成物、心体、補強材等の材質やベルト構造を改良して省電力タイプのコンベヤベルトを製造することができる。或いは、既存のコンベヤベルトを駆動する際の消費電力を精度よく把握して、より消費電力の少ないコンベヤベルトに置き換えることが可能になる。このように本発明は、コンベヤベルトを駆動する際の消費電力を削減するには大いに有益である。
【００３６】
この実施形態のように、支持部３の移動を前後方向にガイドするガイド部８を設けることにより、コンベヤベルト１４の内周面１５に当接して転動する測定用支持ローラ２の左右の振れを防止できる。したがって、測定用支持ローラ２の左右の振れの影響が最小限になり、支持ローラ乗り越え抵抗力を高精度で測定するには有利になる。
【００３７】
表面温度計１１ａ、１１ｂを設けることにより、コンベヤベルト１４が測定用支持ローラ２を乗り越える際のコンベヤベルト１４に生じる温度変化を把握できる。それ故、支持ローラ乗り越え抵抗力に対するコンベヤベルト１４の内周面１５の温度変化の影響を考慮することで、支持ローラ乗り越え抵抗力を高精度で測定するには有利になる。
【００３８】
この実施形態では複数の表面温度計１１ａ、１１ｂを設けて、一方の表面温度計１１ａによりコンベヤベルト１４の内周面１５の測定用支持ローラ２が当接する部分近傍のうち、測定用支持ローラ２の当接する部分よりも前方側の表面温度を検知し、他方の表面温度計１１ｂにより測定用支持ローラ２の当接する部分よりも後方側の表面温度を検知する。これにより、コンベヤベルト１４が測定用支持ローラ２を乗り越える際に生じるコンベヤベルト１４の温度変化（ヒステリシスロス）をより詳細に把握できる。それ故、支持ローラ乗り越え抵抗力を高精度で測定するには益々有利になる。
【００３９】
雰囲気温度計１２により、測定用支持ローラ２周辺の雰囲気温度を検知することにより、支持ローラ乗り越え抵抗力に対する雰囲気温度の影響を考慮することができる。支持ローラ乗り越え抵抗力は、温度依存性があるので、雰囲気温度を考慮することにより、支持ローラ乗り越え抵抗力を高精度で測定するには有利になる。
【００４０】
この実施形態のように上下アジャスタ機構６が設けると、測定用支持ローラ２に対して付与する上下方向の初期荷重を簡単に調節することができる。それ故、使用現場での条件等に合った初期荷重を測定用支持ローラ２に付与して、実使用下での支持ローラ乗り越え抵抗力をより高精度で測定することが可能になる。
【００４１】
コンベヤベルト１４の外周面（上表面）には、必要に応じて使用現場と同等の条件になるように運搬物を載置して運搬する。また、測定用支持ローラ２は、例えば、使用現場のコンベヤ装置に取り付けられている支持ローラと同等仕様のものを用いる。
【符号の説明】
【００４２】
１  測定装置
２  測定用支持ローラ
３  支持部
４  フレーム
４ａ  水平フレーム
４ｂ  垂直フレーム
４ｃ  支持フレーム
５  接続部材
６  上下アジャスタ機構
７  低摩擦部材
８  ガイド部
９ａ  レール部
９ｂ  溝部
１０ａ、１０ｂ  ロードセル
１１ａ、１１ｂ  表面温度計
１２  雰囲気温度計
１３  制御部
１４  コンベヤベルト
１５  内周面
１６ａ、１６ｂ  プーリ
【図１】
2014227229.tif 000003
【図２】
2014227229.tif 000004
【図３】
2014227229.tif 000005
【図４】
2014227229.tif 000006
【図５】
2014227229.tif 000007